(57)【要約】      （修正有）【課題】貯蔵タンクからの漏水を受け止める堰の内部への雨水の浸入を抑制して処理水の増加を抑制する一方で、構造の簡素化及び軽量化を図ると共に設置の容易化を可能とする防水カバーを提供する。【解決手段】排水設備を有する複数の貯蔵タンク１００間に配置される防水カバー１１であり、貯蔵タンク１００の上縁部１０１に沿うと共にこの上縁部１０１に重なるように配置可能な複数の取付部２１，２２と、複数の取付部２１，２２を連結すると共にこの複数の取付部２１，２２に向けて下方に傾斜する被覆部２３，２４とを設ける。【選択図】図６
2016183928.tif 000002
【特許請求の範囲】
【請求項１】
排水設備を有する複数の貯蔵タンク間に配置される防水カバーであって、
前記貯蔵タンクの上縁部に沿うと共に前記上縁部に重なるように配置可能な複数の取付部と、
前記複数の取付部を連結すると共に前記複数の取付部に向けて下方に傾斜する被覆部と、
を備えることを特徴とする防水カバー。
【請求項２】
水平方向に対向する前記取付部の間に線状をなす頂部が設けられることを特徴とする請求項１に記載の防水カバー。
【請求項３】
前記複数の取付部のうちの一つの取付部を有する第１カバーと、前記複数の取付部のうちの別の取付部を有する第２カバーとが、前記線状をなす頂部の位置で連結されて構成されることを特徴とする請求項２に記載の防水カバー。
【請求項４】
前記第１カバーと前記第２カバーが前記線状をなす頂部の位置で折り畳み自在に構成されると共に、広がり角度を規制するストッパが設けられることを特徴とする請求項３に記載の防水カバー。
【請求項５】
前記複数の取付部に沿う複数の取付フレームと、前記複数の取付フレームを連結することで枠体を形成する複数の連結フレームと、前記枠体の内側で前記複数の取付フレーム及び前記複数の連結フレームを連結する補強フレームと、前記被覆部として外周部が前記複数の取付フレーム及び前記複数の連結フレームに固定される被覆シートとを備えることを特徴とする請求項１から請求項４のいずれか一項に記載の防水カバー。
【請求項６】
前記複数の取付フレームまたは前記複数の連結フレームと前記被覆シートとの間に第１通風部が設けられることを特徴とする請求項５に記載の防水カバー。
【請求項７】
前記複数の取付フレームに複数の取付用ワイヤが装着されることを特徴とする請求項５または請求項６に記載の防水カバー。
【請求項８】
点検用開口部が設けられることを特徴とする請求項１から請求項７のいずれか一項に記載の防水カバー。
【請求項９】
透過性を有するテントシートにより構成されることを特徴とする請求項１から請求項８のいずれか一項に記載の防水カバー。
【請求項１０】
請求項１から請求項９のいずれか一項に記載の防水カバーが複数組み合わされて構成されることを特徴とする防水カバーユニット。
【請求項１１】
前記防水カバーは、平面視が五角形状をなし、２辺が接近して配置されることを特徴とする請求項１０に記載の防水カバーユニット。
【請求項１２】
前記２辺が接近して配置される複数の前記防水カバーの間に第２通風部が設けられることを特徴とする請求項１１に記載の防水カバーユニット。
【請求項１３】
請求項１から請求項９のいずれか一項の防水カバーにおける前記取付部が前記貯蔵タンクの上縁部に重なるように配置されることを特徴とする防水カバーの配置構造。
【発明の詳細な説明】
【技術分野】
【０００１】
本発明は、液体を貯留する複数の貯蔵タンクの間の空間への雨水等の浸入を防止する防水カバー、防水カバーユニット、防水カバーの配置構造に関するものである。
【背景技術】
【０００２】
例えば、原子力発電プラントで事故が発生した場合、放射性物質を含んだ汚染水が発生する。発生した汚染水は、貯蔵タンクに貯蔵され、処理装置を用いて順次汚染水から放射性物質が除去される。
【０００３】
汚染水が収容された複数の貯蔵タンクは、所定間隔を空けて立設されており、各貯蔵タンクは、その周辺に汚染水流出防止のための堰が設けている。この場合、堰は、上方が開口していることから、堰の内部に雨水などが流入してしまい、貯蔵タンクから漏れた汚染水に雨水が混入して処理する汚染水が増加してしまう。
【０００４】
そのため、従来、下記非特許文献１に示すように、堰の上部に屋根を設けることで、堰の内部への雨水の混入を防止している。
【先行技術文献】
【特許文献】
【０００５】
【非特許文献１】東京電力福島第一原子力発電所汚染水対策の対応〈http://www.tepco.co.jp/nu/fukushima-np/roadmap/images/l141027_04-j.pdf〉
【発明の概要】
【発明が解決しようとする課題】
【０００６】
ところが、雨水の流入を防止しなければならない堰は、設置する範囲が広大であり、設置コストが大幅に増加すると共に、設置に長期の工事期間を要してしまうという問題がある。
【０００７】
本発明は、上述した課題を解決するものであり、貯蔵タンクからの漏水を受け止める堰の内部への雨水の浸入を抑制して処理水の増加を抑制する一方で、構造の簡素化及び軽量化を図ると共に設置の容易化を可能とする防水カバーを提供することを目的とする。
【課題を解決するための手段】
【０００８】
上記の目的を達成するための本発明の防水カバーは、排水設備を有する複数の貯蔵タンク間に配置される防水カバーであって、前記貯蔵タンクの上縁部に沿うと共に前記上縁部に重なるように配置可能な複数の取付部と、前記複数の取付部を連結すると共に前記複数の取付部に向けて下方に傾斜する被覆部と、を備えることを特徴とするものである。
【０００９】
従って、各取付部を複数の貯蔵タンクの各上縁部に重なるように配置することで、被覆部により複数の貯蔵タンク間を被覆することができ、この被覆部が各取付部に向けて下方に傾斜することから、被覆部により受け止めた雨水を貯蔵タンク間に落下させずに貯蔵タンクの上部に流し、排水設備により排水することができる。その結果、貯蔵タンクからの漏水を受け止める堰の内部への雨水の浸入を抑制して処理水の増加を抑制する一方で、防水カバーの構造を簡素化することができると共に、軽量化することができ、また、防水カバーを複数の貯蔵タンク間に容易に配置することができる。
【００１０】
本発明の防水カバーでは、水平方向に対向する前記取付部の間に線状をなす頂部が設けられることを特徴としている。
【００１１】
従って、各取付部の間に線状をなす頂部を設けることで、防水カバーの構造が簡素になるため、製作を容易とすることができる。
【００１２】
本発明の防水カバーでは、前記複数の取付部のうちの一つの取付部を有する第１カバーと、前記複数の取付部のうちの別の取付部を有する第２カバーとが、前記線状をなす頂部の位置で連結されて構成されることを特徴としている。
【００１３】
従って、取付部を有する２個のカバーを頂部の位置で連結して構成することで、防水カバーの組付性を向上することができる。
【００１４】
本発明の防水カバーでは、前記第１カバーと前記第２カバーが前記線状をなす頂部の位置で折り畳み自在に構成されると共に、広がり角度を規制するストッパが設けられることを特徴としている。
【００１５】
従って、第１カバーと第２カバーを折り畳み自在とすることで、部材の搬送性を向上することができ、第１カバーと第２カバーの広がり角度を規制するストッパを設けることで、貯蔵タンクへの装着性を向上することができる。
【００１６】
本発明の防水カバーでは、前記複数の取付部に沿う複数の取付フレームと、前記複数の取付フレームを連結することで枠体を形成する複数の連結フレームと、前記枠体の内側で前記複数の取付フレーム及び前記複数の連結フレームを連結する補強フレームと、前記被覆部として外周部が前記複数の取付フレーム及び前記複数の連結フレームに固定される被覆シートとを備えることを特徴としている。
【００１７】
従って、取付フレームと連結フレームと補強フレームにより枠体を構成し、この枠体に被覆シートを固定することで、防水カバーの構造を簡素化することができると共に、軽量化することができる。
【００１８】
本発明の防水カバーでは、前記複数の取付フレームまたは前記複数の連結フレームと前記被覆シートとの間に第１通風部が設けられることを特徴としている。
【００１９】
従って、フレームと被覆シートとの間に第１通風部を設けることで、被覆シートに作用する風が第１通風部を通過することで、風などによる被覆シートへの応力を減少して耐久性を向上することができる。
【００２０】
本発明の防水カバーでは、前記複数の取付フレームに複数の取付用ワイヤが装着されることを特徴としている。
【００２１】
従って、貯蔵タンクに対して複数の取付用ワイヤを用いて防水カバーを装着することで、容易に防水カバーを装着することができ、装着作業性を向上することができる。
【００２２】
本発明の防水カバーでは、点検用開口部が設けられることを特徴としている。
【００２３】
本発明の防水カバーでは、透過性を有するテントシートにより構成されることを特徴としている。
【００２４】
従って、防水カバーが透過性を有することから、この防水カバーの下方領域の明るさを確保することができ、この領域での作業性を向上することができる。
【００２５】
従って、作業者が点検用開口部を取って貯蔵タンクが配置されている領域に侵入することができ、メンテナンス性を向上することができる。
【００２６】
また、本発明の防水カバーユニットは、前記防水カバーが複数組み合わされて構成されることを特徴とするものである。
【００２７】
従って、防水カバーユニットの構造を簡素化することができると共に、軽量化することができ、また、防水カバーを複数の貯蔵タンク間に容易に配置することができる。
【００２８】
本発明の防水カバーユニットでは、前記防水カバーは、平面視が五角形状をなし、２辺が接近して配置されることを特徴としている。
【００２９】
従って、防水カバー同士は、２辺が接近して配置されることで、雨水等の浸入を適正に防止することができる。
【００３０】
本発明の防水カバーユニットでは、前記２辺が接近して配置される複数の前記防水カバーの間に第２通風部が設けられることを特徴としている。
【００３１】
従って、防水カバーの間に第２通風部を設けることで、被覆部に作用する風が第２通風部を通過することで、風などによる被覆部への応力を減少して耐久性を向上することができる。
【００３２】
また、本発明の防水カバーの配置構造は、前記防水カバーにおける前記取付部が前記貯蔵タンクの上縁部に重なるように配置されることを特徴とするものである。
【００３３】
従って、被覆部により受け止めた雨水を貯蔵タンク間に落下させずに貯蔵タンクの上部に流して排水することができる。
【発明の効果】
【００３４】
本発明の防水カバー、防水カバーユニット、防水カバーの配置構造によれば、貯蔵タンクの上縁部に沿う複数の取付部と、取付部に向けて下方に傾斜する被覆部とを設けるので、防水カバーの構造を簡素化することができると共に、軽量化することができ、また、防水カバーを複数の貯蔵タンク間に容易に配置することができる。
【図面の簡単な説明】
【００３５】
【図１】図１は、本実施形態の防水カバーを複数の貯蔵タンク間に配置した状態を表す平面図である。
【図２】図２は、貯蔵タンクへの防水カバーユニットの配置状態を表す斜視図である。
【図３】図３は、防水カバーを表す平面図である。
【図４】図４は、防水カバーを表す正面図である。
【図５】図５は、別の防水カバーを表す平面図である。
【図６】図６は、防水カバーユニットの配置状態を表す平面図である。
【図７】図７は、防水カバーの配置構造を表す正面図である。
【図８】図８は、貯蔵タンクと防水カバーとの取付部を表す概略図である。
【図９】図９は、本実施形態の防水カバーの第１変形例を表す平面図である。
【図１０】図１０は、本実施形態の防水カバーの第２変形例を表す平面図である。
【発明を実施するための形態】
【００３６】
以下に添付図面を参照して、本発明の防水カバー、防水カバーユニット、防水カバーの配置構造の好適な実施形態を詳細に説明する。なお、この実施形態により本発明が限定されるものではなく、また、実施形態が複数ある場合には、各実施形態を組み合わせて構成するものも含むものである。
【００３７】
図１は、本実施形態の防水カバーを複数の貯蔵タンク間に配置した状態を表す平面図、図２は、貯蔵タンクへの防水カバーユニットの配置状態を表す斜視図である。
【００３８】
本実施形態にて、図１及び図２に示すように、貯蔵タンク１００は、円筒形状をなすと共に、上部及び下部が閉塞された中空形状をなす容器（開放型タンク）であって、例えば、汚染水を貯蔵することができる。この複数の貯蔵タンク１００は、所定の敷地内に、互いに所定間隔を空けて千鳥状に設置されている。防水カバー１１は、この複数の貯蔵タンク１００間に配置されるものであって、雨水を受けて排水処理することで、この雨水が貯蔵タンク１００の間に落下するのを防止するものである。
【００３９】
複数の貯蔵タンク１００は、千鳥状に設置されていることから、隣接して配置される３個の貯蔵タンク１００に対して、３個の防水カバー１１が組み合わされて構成された１個の防水カバーユニット１２が配置されている。なお、配置場所における端部に隣接して配置される２個の貯蔵タンク１００に対しては、１個の防水カバー１１が配置されている。
【００４０】
図３は、防水カバーを表す平面図、図４は、防水カバーを表す正面図である。
【００４１】
防水カバー１１は、図３及び図４に示すように、貯蔵タンク１００（図１参照）の上縁部に沿う複数（本実施形態では、２個）の取付部２１，２２と、複数の取付部２１，２２を連結すると共に複数の取付部２１，２２に向けて下方に傾斜する被覆部２３，２４とを備えている。そして、取付部２１，２２の間に線状をなす頂部２５が設けられている。また、防水カバー１１は、頂部２５を中心線として左右対称をなしている。即ち、防水カバー１１は、一方の取付部２１と被覆部２３を有する第１カバー２６と、他方の取付部２２と被覆部２４を有する第２カバーと２７が頂部２５の位置で連結されて構成されている。
【００４２】
防水カバー１１は、前述したように、第１カバー２６と第２カバー２７が連結されて構成されており、各カバー２６，２７は、それぞれフレーム部分と被覆部分とにより構成されている。第１カバー２６のフレーム部分は、取付フレーム３１と、複数（本実施形態では、２個）の連結フレーム３２，３３と、支持フレーム３４と、補強フレーム３５とから構成され、四角形状の枠体をなしている。第１カバー２６の被覆部分は、四角形状の被覆シート３６から構成され、四角形状の枠体とほぼ同寸法に設定されている。被覆シート３６は、透明度の高い透過性を有するテントシートである。また、第２カバー２７のフレーム部分は、取付フレーム４１と、複数（本実施形態では、２個）の連結フレーム４２，４３と、支持フレーム４４と、補強フレーム４５とから構成され、四角形状の枠体をなしている。第２カバー２７の被覆部分は、四角形状の被覆シート４６から構成され、四角形状の枠体とほぼ同寸法に設定されている。被覆シート４６は、透明度の高い透過性を有するテントシートである。ここで、テントシートとは、テント生地に防水性や透過性を施したものである。なお、被覆シート３６，４６は、テントシートに限るものではなく、樹脂材料により構成してもよい。
【００４３】
第１カバー２６にて、取付フレーム３１は、取付部２１を構成するものであり、貯蔵タンク１００の上縁部１０１の円弧形状と同様の円弧形状をなしている。支持フレーム３４は、頂部２５を構成するものであり、直線形状をなしている。連結フレーム３２，３３は、取付フレーム３１の端部と支持フレーム３４の端部を連結するものであり、直線形状をなしている。補強フレーム３５は、枠体の内側で取付フレーム３１の中間部と支持フレーム３４の中間部を連結するものであり、直線形状をなしている。
【００４４】
そして、連結フレーム３２は、各端部が取付フレーム３１及び支持フレーム３４の各一端部と金具３７により連結され、連結フレーム３３は、各端部が取付フレーム３１及び支持フレーム３４の各他端部と金具３８により連結されている。補強フレーム３５は、各端部が取付フレーム３１及び支持フレーム３４の各中間部と金具３９により連結されている。そして、被覆シート３６は、外周部が取付フレーム３１と連結フレーム３２，３３と支持フレーム３４と補強フレーム３５に固定されている。但し、被覆シート３６は、各金具３７，３８，３９の位置で各フレーム３１，３２，３３，３４に固定されておらず、この位置に通風口（第１通風部）４０が形成されている。
【００４５】
また、第２カバー２７にて、取付フレーム４１は、取付部２２を構成するものであり、貯蔵タンク１００の上縁部１０１の円弧形状と同様の円弧形状をなしている。支持フレーム４４は、頂部２５を構成するものであり、直線形状をなしている。連結フレーム４２，４３は、取付フレーム４１の端部と支持フレーム４４の端部を連結するものであり、直線形状をなしている。補強フレーム４５は、枠体の内側で取付フレーム４１の中間部と支持フレーム４４の中間部を連結するものであり、直線形状をなしている。
【００４６】
そして、連結フレーム４２は、各端部が取付フレーム４１及び支持フレーム４４の各一端部と金具４７により連結され、連結フレーム４３は、各端部が取付フレーム４１及び支持フレーム４４の各他端部と金具４８により連結されている。補強フレーム４５は、各端部が取付フレーム４１及び支持フレーム４４の各中間部と金具４９により連結されている。そして、被覆シート４６は、外周部が取付フレーム４１と連結フレーム４２，４３と支持フレーム４４と補強フレーム４５に固定されている。但し、被覆シート４６は、各金具４７，４８，４９の位置で各フレーム４１，４２，４３，４４に固定されておらず、この位置に通風口（通風部）５０が形成されている。
【００４７】
防水カバー１１は、第１カバー２６と第２カバー２７が線状をなす頂部２５の位置で折り畳み自在に構成されている。即ち、第１カバー２６の支持フレーム３４と第２カバー２７の支持フレーム４４は、所定隙間を空けて平行をなすように配置され、両端部同士がヒンジ５１により回動自在に連結されている。なお、支持フレーム３４，４４は、ヒンジ５１の位置に吊り具５２が固定されている。防水カバー１１は、第１カバー２６と第２カバー２７が頂部２５の位置で連結されることで、平面視が五角形状をなしている。また、防水カバー１１は、第１カバー２６と第２カバー２７の広がり角度を規制するストッパとしての複数（本実施形態では、３個）のワイヤロープ５３が設けられている。各ワイヤロープ５３は、連結フレーム３２，４２間と取付フレーム３１，４１間に所定距離を空けて張設されている。
【００４８】
図５は、別の防水カバーを表す平面図である。
【００４９】
図５に示すように、貯蔵タンク１００は、点検用のタラップ１０３が設けられている。そのため、一部の防水カバーは、この点検用のタラップ１０３と干渉しないように配置する必要がある。防水カバー１３は、第１カバー２６と第２カバー６１とから構成され、第２カバー６１に点検用開口部６２が設けられている。即ち、タラップ１０３は、タラップ本体１０４と、このタラップ本体１０４を取り囲むリング形状をなす防護柵１０５から構成されている。第２カバー６１は、連結フレーム４２の中間部と補強フレーム４５の中間部を連結するフレーム６３が設けられ、Ｕ字形状をなすフレーム６４は、中間部がフレーム６３に連結され、各端部が取付フレーム４１の切欠部４１ａに連結されることで、点検用開口部６２が形成されている。
【００５０】
図６は、防水カバーユニットの配置状態を表す平面図である。
【００５１】
防水カバーユニット１２は、図６に示すように、前述したように、３個の防水カバー１１が組み合わされて構成されている。各防水カバー１１は、一方の取付部２１が一方側に配置される貯蔵タンク１００の上縁部１０１に装着され、他方の取付部２２が他方側に配置される貯蔵タンク１００の上縁部１０１に装着される。この場合、各防水カバー１１は、各取付部２１，２２が貯蔵タンク１００の上縁部１０１の上方側に重なるように配置される。そして、各防水カバー１１は、平面視が五角形状をなしており、互いに接近した２辺が接触するように配置される。なお、貯蔵タンク１００にタラップ１０３が設けられていた場合、防水カバー１１に代えて点検用開口部６２を有する防水カバー１３を適用する。そして、各防水カバー１１は、連結フレーム３２，４２（図３参照）同士が接触するように配置されており、接触する連結フレーム３２，４２（図３参照）の間に通風隙間（第２通風部）１４が形成される。
【００５２】
この場合、３個の隣接する貯蔵タンク１００の中心Ｏ１，Ｏ２，Ｏ３を結ぶ三角形の領域で、且つ、３個の隣接する貯蔵タンク１００の間の空間部が防水カバーユニット１２（３個の防水カバー１１）により被覆される。そして、中心Ｏ１と中心Ｏ２，Ｏ３の中間位置を結ぶ垂線Ｌ１と、中心Ｏ２と中心Ｏ１，Ｏ３の中間位置を結ぶ垂線Ｌ２と、中心Ｏ３と中心Ｏ１，Ｏ２の中間位置を結ぶ垂線Ｌ３との交点が、３個の隣接する貯蔵タンク１００の中心Ｏであり、防水カバーユニット１２（３個の防水カバー１１）の中心Ｏとなる。この中心Ｏから各防水カバー１１の各垂線Ｌ１，Ｌ２，Ｌ３に沿う頂部２５が配置されている。
【００５３】
そのため、３個の防水カバー１１は、各被覆部２３，２４が頂部２５から各取付部２１，２２に向けて下方に傾斜して配置されることから、防水カバーユニット１２（３個の防水カバー１１）に降った雨水は、被覆部２３，２４から取付部２１，２２に向けて流れ、各貯蔵タンク１００の上部に流れ込む。
【００５４】
図７は、防水カバーの配置構造を表す正面図、図８は、貯蔵タンクと防水カバーとの取付部を表す概略図である。
【００５５】
図７及び図８に示すように、複数の貯蔵タンク１００は、地面（基礎）Ｇ上に立設されており、隣接する貯蔵タンク１００同士が所定距離だけ離間している。貯蔵タンク１００は、周囲の地面Ｇ上に堰１１１を有するピット１１２が設けられている。このピット１１２は、貯蔵タンク１００から漏洩した汚染水を貯留するものである。また、貯蔵タンク１００は、天井部１１３が傾斜面となっており、排水設備が設けられている。即ち、上縁部１０１は、天井部１１３と側面部が交差する縁部であり、この天井部１１３は、中心部が最も高く周縁部が最も低くなっており、この上縁部１０１の外側に全周にわたって樋１１４が設けられている。そして、この樋１１４は、排水管１１５の上端部が連結されている。ピット１１２は、その外側に排水路１１６が設けられており、排水管１１５の下端部が排水路１１６の上方に位置している。
【００５６】
防水カバーユニット１２を構成する各防水カバー１１は、隣接する３個の貯蔵タンク１００の間の空間部を上から被覆するように配置される。即ち、各防水カバー１１は、各取付部２１，２２が貯蔵タンク１００の上縁部１０１の上方側に重なるように配置される。防水カバー１１は、図３に示すように、各取付部２１，２２に沿って所定間隔で複数の取付用ワイヤ５５，５６が移動自在に装着されている。一方、図８に示すように、貯蔵タンク１００は、上縁部１０１に全周にわたって手擦り１２１が設けられている。防水カバー１１は、各取付部２１，２２が樋１１４を超えて上縁部１０１まで延出され、複数の取付用ワイヤ５５，５６により手擦り１２１に連結される。なお、防水カバー１１は、各取付部２１，２２が複数の取付用ワイヤ５５，５６により手擦り１２１に連結されるものの、各取付部２１，２２と天井部１１３との間には隙間が確保されている。
【００５７】
そのため、防水カバーユニット１２の上に降った雨水は、各防水カバー１１の上面を各取付部２１，２２側に流れ、貯蔵タンク１００の天井部１１３に流れ込んだ後、反転して樋１１４に流れ落ちる。そして、樋１１４に流れ落ちた雨水は、排水管１１５を通って排水路１１６に流れ、排水処理される。
【００５８】
このように本実施形態の防水カバーにあっては、排水設備を有する複数の貯蔵タンク１００間に配置される防水カバー１１，１３であり、貯蔵タンク１００の上縁部１０１に沿うと共にこの上縁部１０１に重なるように配置可能な複数の取付部２１，２２と、複数の取付部２１，２２を連結すると共にこの複数の取付部２１，２２に向けて下方に傾斜する被覆部２３，２４とを設けている。
【００５９】
従って、各取付部２１，２２を複数の貯蔵タンク１００の各上縁部１０１に重なるように配置することで、被覆部２３，２４により複数の貯蔵タンク１００間の空間部の上方を被覆することができ、この被覆部２３，２４が各取付部２１，２２に向けて下方に傾斜することから、被覆部２３，２４により受け止めた雨水を貯蔵タンク１００間に落下させずに貯蔵タンク１００の上部の天井部１１３に流し、排水設備により排水することができる。その結果、貯蔵タンク１００からの漏水を受け止める堰１１１の内部への雨水の浸入を抑制して処理水の増加を抑制することができる。そして、貯蔵タンク１００の天井部１１３に流して排出した雨水は、貯蔵タンク１００から漏れた汚染水と明確に区別できるため、例えば、河川等へ放出することができ、汚染水として処理する必要がなくなる。このため、汚染水として処理すべき水量の増加を抑制することができる。また、堰１１１の上方に屋根などの構造物を構築する必要はなく、防水カバー１１，１３の構造を簡素化することができると共に、軽量化することができ、また、防水カバー１１，１３を複数の貯蔵タンク１００間に容易に配置することができる。
【００６０】
本実施形態の防水カバーでは、水平方向に対向する取付部２１，２２の間に線状をなす頂部２５を設けている。従って、各取付部２１，２２の間に線状をなす頂部２５を設けることで、防水カバー１１，１３の構造が簡素になるため、製作を容易とすることができる。
【００６１】
本実施形態の防水カバーでは、一方の取付部２１を有する第１カバー２６と、他方の取付部２２を有する第２カバー２７とを線状をなす頂部２５の位置で連結して構成している。従って、第１カバー２６と第２カバー２７を別々に製作した後、両者を連結して防水カバー１１，１３を構成すればよく、防水カバー１１，１３の組付性を向上することができる。
【００６２】
本実施形態の防水カバーでは、第１カバー２６と第２カバー２７を線状をなす頂部２５の位置で折り畳み自在に構成すると共に、広がり角度を規制するストッパとしてのワイヤロープ５３を設けている。従って、第１カバー２６と第２カバー２７を折り畳んだ状態で搬送することができ、防水カバー１１，１３の搬送性を向上することができる。また、第１カバー２６と第２カバー２７の広がり角度を規制するワイヤロープ５３を設けることで、防水カバー１１，１３を貯蔵タンク１００間に配置するとき、第１カバー２６と第２カバー２７の広がり角度を容易に適正角度に設定することができ、防水カバー１１，１３の貯蔵タンク１００への装着性を向上することができる。
【００６３】
本実施形態の防水カバーでは、複数の取付部２１，２２に沿う複数の取付フレーム３１，４１と、複数の取付フレーム３１，４１を連結することで枠体を形成する複数の連結フレーム３２，３３，４２，４３と、枠体の内側で複数の取付フレーム３１，４１及び複数の連結フレーム３２，３３，４２，４３を連結する補強フレーム３５，４５と、被覆部２３，２４として外周部が複数の取付フレーム３１，４１及び複数の連結フレーム３２，３３，４２，４３に固定される被覆シート３６，４６とを設けている。従って、取付フレーム３１，４１と連結フレーム３２，３３，４２，４３と補強フレーム３５，４５により枠体を構成し、この枠体に被覆シート３６，４６を固定することで、容易に防水カバー１１，１３を構成することができ、防水カバー１１，１３の構造を簡素化することができると共に、軽量化することができる。
【００６４】
本実施形態の防水カバーでは、複数の取付フレーム３１，４１及び複数の連結フレーム３２，３３，４２，４３と被覆シート３６，４６との間に通風口４０，５０を設けている。従って、被覆シート３６，４６に作用する風が通風口４０，５０を通過することで、風などによる被覆シート３６，４６への応力を減少して耐久性を向上することができる。
【００６５】
本実施形態の防水カバーでは、複数の取付フレーム３１，４１に複数の取付用ワイヤ５５，５６を装着している。従って、貯蔵タンク１００に対して複数の取付用ワイヤ５５，５６を用いて防水カバー１１，１３を装着することで、容易に防水カバー１１，１３を装着することができ、装着作業性を向上することができる。
【００６６】
本実施形態の防水カバーでは、点検用開口部６２を設けている。従って、作業者が点検用開口部６２を取って貯蔵タンク１００が配置されている空間部に侵入することができ、メンテナンス性を向上することができる。
【００６７】
本実施形態の防水カバーでは、透過性を有するテントシートにより構成している。従って、太陽光が防水カバー１１，１３を透過することから、この防水カバー１１，１３の下方領域の明るさを確保することができ、この領域での作業性を向上することができる。
【００６８】
また、本実施形態の防水カバーユニットにあっては、防水カバー１１，１３を複数組み合わせて構成している。従って、防水カバーユニット１２の構造を簡素化することができると共に、軽量化することができ、また、防水カバー１１を複数の貯蔵タンク１００間に容易に配置することができる。
【００６９】
本実施形態の防水カバーユニットでは、防水カバー１１，１３を平面視で五角形状とし、２辺を接近して配置している。防水カバーユニット１２を複数の防水カバー１１，１３による分割構成とすることで、製作性、搬送性、配置性を向上することができると共に、防水カバー１１，１３同士の２辺を接近して配置することで、雨水等の浸入を適正に防止することができる。
【００７０】
本実施形態の防水カバーユニットでは、防水カバー１１，１３の間に通風隙間１４を設けている。従って、被覆シート３６，４６に作用する風が通風隙間１４を通過することで、風などによる被覆シート３６，４６への応力を減少して耐久性を向上することができる。
【００７１】
また、本実施形態の防水カバーの配置構造にあっては、防水カバー１１，１３における取付部２１，２２を貯蔵タンク１００の上縁部１０１の上方に重なるように配置している。従って、防水カバー１１，１３と貯蔵タンク１００との間の空間部を隙間なく被覆することができ、被覆シート３６，４６により受け止めた雨水を貯蔵タンク１００間に落下させずに貯蔵タンク１００の天井部１１３に流して排水することができる。
【００７２】
なお、貯蔵タンク１００の配置状態や形状は、上述した実施形態に限定されるものではない。図９は、本実施形態の防水カバーの第１変形例を表す平面図、図１０は、本実施形態の防水カバーの第２変形例を表す平面図である。
【００７３】
第１変形例にて、図９に示すように、複数の貯蔵タンク１００は、所定間隔を空けて格子状に設置されている。防水カバー１５１は、この複数の貯蔵タンク１００間に配置されるものであって、雨水を受けて排水処理することで、この雨水が貯蔵タンク１００の間に落下するのを防止するものである。
【００７４】
複数の貯蔵タンク１００は、格子状に設置されていることから、隣接して配置される４個の貯蔵タンク１００に対して、４個の防水カバー１５１が組み合わされて構成された１個の防水カバーユニット１５２が配置されている。
【００７５】
防水カバー１５１は、貯蔵タンク１００の上縁部１０１に沿う複数（本実施形態では、２個）の取付部１６１，１６２と、複数の取付部１６１，１６２を連結すると共に複数の取付部１６１，１６２に向けて下方に傾斜する被覆部１６３，１６４とを備えている。そして、取付部１６１，１６２の間に線状をなす頂部１６５が設けられている。また、防水カバー１５１は、頂部１６５を中心線として左右対称をなしている。
【００７６】
そして、各防水カバー１５１は、一方の取付部１６１が一方側に配置される貯蔵タンク１００の上縁部１０１に装着され、他方の取付部１６２が他方側に配置される貯蔵タンク１００の上縁部１０１に装着される。この場合、各防水カバー１５１は、各取付部１６１，１６２が貯蔵タンク１００の上縁部１０１の上方側に重なるように配置される。そして、各防水カバー１５１は、平面視が五角形状をなしており、互いに接近した２辺が接触するように配置される。
【００７７】
また、第２変形例にて、図１０に示すように、貯蔵タンク１００は、四角筒形状をなすと共に、上部及び下部が閉塞された中空形状をなす容器（開放型タンク）であって、所定の敷地内に、互いに所定間隔を空けて格子状に設置されている。防水カバー２１１は、この複数の貯蔵タンク２００間に配置されるものであって、雨水を受けて排水処理することで、この雨水が貯蔵タンク２００の間に落下するのを防止するものである。
【００７８】
複数の貯蔵タンク２００は、格子状に設置されていることから、隣接して配置される４個の貯蔵タンク２００に対して、４個の防水カバー２１１が組み合わされて構成された１個の防水カバーユニット２１２が配置されている。
【００７９】
防水カバー２１１は、貯蔵タンク２００の上縁部２０１に沿う複数（本実施形態では、２個）の取付部２２１，２２２と、複数の取付部２２１，２２２を連結すると共に複数の取付部２２１，２２２に向けて下方に傾斜する被覆部２２３，２２４とを備えている。そして、取付部２２１，２２２の間に線状をなす頂部２２５が設けられている。また、防水カバー２１１は、頂部２２５を中心線として左右対称をなしている。
【００８０】
そして、各防水カバー２１１は、一方の取付部２２１が一方側に配置される貯蔵タンク２００の上縁部２０１に装着され、他方の取付部２２２が他方側に配置される貯蔵タンク２００の上縁部２０１に装着される。この場合、各防水カバー２１１は、各取付部２２１，２２２が貯蔵タンク２００の上縁部２０１の上方側に重なるように配置される。そして、各防水カバー２２１は、平面視が五角形状をなしており、互いに接近した２辺が接触するように配置される。
【００８１】
なお、上述した実施形態やこの第１、第２変形例では、貯蔵タンクを円筒形状や四角筒形状としたが、この形状に限定されるものではなく、多角筒形状などとしてもよい。また、貯蔵タンクの配置は、千鳥状や格子状に限るものではなく、所定の規則性をもって配置されていればよいものである。
【００８２】
また、上述した実施形態では、防水カバーを隣接する３個または４個の貯蔵タンクの間の空間部を覆うように配置したが、防水カバーを隣接する２個または５個以上の貯蔵タンクの間の空間部を覆うように配置してもよい。
【００８３】
また、上述した実施形態では、第１カバーと第２カバーにより防水カバーを構成したが、折り畳み不能として一体に構成してもよい。また、複数の防水カバーにより１個の防水カバーユニットを構成したが、１個の防水カバーユニットを一体的に形成してもよい。
【００８４】
また、上述した実施形態では、本発明を汚染水が貯蔵される貯蔵タンクに対して適用したが、貯蔵タンク内に貯蔵する流体は、汚染水に限定されるものではない。この場合、貯蔵タンク内に別の流体を貯蔵すると、周囲に堰を設ける必要がなくなるが、複数の貯蔵タンクの間に別の機器を配置することも考えられ、貯蔵タンクの周囲に堰がない構成であっても、本発明は有効的である。
【符号の説明】
【００８５】
１１，１３，１５１，２１１  防水カバー
１２，１５２，２１２  防水カバーユニット
１４  通風隙間（第２通風部）
２１，２２，１６１，１６２，２２１，２２２  取付部
２３，２４，１６３，１６４，２２３，２２４  被覆部
２５，１６５，２２５  頂部
２６  第１カバー
２７，６１  第２カバー
３１，４１  取付フレーム
３２，３３，４２，４３  連結フレーム
３４，４４  支持フレーム
３５，４５  補強フレーム
３６，４６  被覆シート
３７，３８，３９，４７，４８，４９  金具
４０，５０  通風口（第１通風部）
５１  ヒンジ
５２  吊り具
５３  ワイヤロープ
５５，５６  取付用ワイヤ
６２  点検用開口部
１００，２００  貯蔵タンク
１０１，２０１  上縁部
１０３  タラップ
１１１  堰
１１２  ピット
１１３  天井部
１１４  樋
１１５  排水管
１１６  排水路
１２１  手擦り
【図１】
2016183928.tif 000003
【図２】
2016183928.tif 000004
【図３】
2016183928.tif 000005
【図４】
2016183928.tif 000006
【図５】
2016183928.tif 000007
【図６】
2016183928.tif 000008
【図７】
2016183928.tif 000009
【図８】
2016183928.tif 000010
【図９】
2016183928.tif 000011
【図１０】
2016183928.tif 000012